(57)【要約】【課題】ソケットを器具本体に装着することにより、直管形ＬＥＤランプの接地口金と器具本体との接地導通を得ることが可能となる。【解決手段】直管形ＬＥＤランプ４００の接地口金４１０を接続し、器具本体２００のソケット取付縁部２１０により形成されたソケット取付孔に取り付けられるソケット１００において、ソケット取付孔を形成するソケット取付縁部２１０が挿入される本体取付溝１５０を備え、接地口金４１０が挿入されるソケット筐体（ソケットベース１２０）と、ソケット筐体（ソケットベース１２０）の内部に配置され、ソケット筐体（ソケットベース１２０）の内部に挿入された接地口金４１０と接触して接地口金４１０と導通するとともに、本体取付溝１５０からソケット筐体（ソケットベース１２０）の内部に挿入されたソケット取付縁部２１０の縁部断面２１１と接触して器具本体２００と導通する口金接触部１６６ａとを備える。【選択図】図８
2012164496.tif 000002
【特許請求の範囲】
【請求項１】
光源の口金を接続するソケットであって、照明器具本体の本体縁部により形成されたソケット取付孔に取り付けられるソケットにおいて、
前記ソケット取付孔を形成する本体縁部が挿入されるスリット部を備え、前記口金が内部に挿入される外郭部と、
前記外郭部の内部に配置され、前記外郭部の内部に挿入された前記口金と接触して前記口金と導通するとともに、前記スリット部から前記外郭部の内部に挿入された前記本体縁部と接触して前記照明器具本体と導通する口金接地部と
を備えることを特徴とするソケット。
【請求項２】
前記口金接地部は、バネ性を有する一対の接触片を備え、
前記一対の接触片は、一方の端部近傍で前記口金を挟持するとともに、他方の端部近傍で前記本体縁部と接触することを特徴とする請求項１に記載のソケット。
【請求項３】
前記外郭部は、底面部と前面部と両側面部とを有し、
前記スリット部は、前記両側面部の各側面部の前記底面部近傍に形成され、
前記一対の接触片は、前記前面部から挿入された前記口金を前記一方の端部近傍で挟持するとともに、前記他方の端部の各端部が前記両側面部の各側面部の前記底面部近傍に位置するように形成されていることを特徴とする請求項２に記載のソケット。
【請求項４】
前記一対の接触片は、前記スリット部に挿入される前記本体縁部をガイドするガイド部を前記他方の端部の各端部に備えることを特徴とする請求項３に記載のソケット。
【請求項５】
前記一対の接触片は、
前記口金を挟持するとともに係止する口金係止部と、
前記両側面部の各側面部にそって前記底面部に向かって形成される本体接触部と、
前記口金係止部と本体接触部とを連結する連結部とを備えることを特徴とする請求項３または４に記載のソケット。
【請求項６】
請求項１〜５のいずれかに記載のソケットと、
前記ソケットが取り付けられる照明器具本体とを備えたことを特徴とする照明器具。
【発明の詳細な説明】
【技術分野】
【０００１】
本発明は、例えば、直管形ＬＥＤランプ用のソケット及び照明器具に関する。
【背景技術】
【０００２】
直管形ランプ形状のＬＥＤ（Ｌｉｇｈｔ・Ｅｍｉｔｔｉｎｇ・Ｄｉｏｄｅ：発光ダイオード）ランプが普及しつつある。直管形ＬＥＤランプの場合、直管形ランプ形状の筐体の内部にＬＥＤ回路を有する構造となっており、商用電圧が直管形ランプ形状の内部部分に直接かかることになり、接地導通をとる必要がある。そこで、直管形ＬＥＤランプの一方の口金は給電用とし、他方の口金は接地用とした直管形ＬＥＤランプが使用されるようになりつつある。
【０００３】
従来では、直管形ＬＥＤランプの放熱部材に直接接触して接地をとるアース接続部材を備えるソケットがある。
【先行技術文献】
【特許文献】
【０００４】
【特許文献１】特開２０１０−１７０９０３号公報
【発明の概要】
【発明が解決しようとする課題】
【０００５】
通常、直管形ＬＥＤランプは、新規でＬＥＤ照明用照明器具を購入し、器具自体を交換するなどの大規模な工事を伴う用途にはあまり使用されない。既存の照明器具をそのまま使用して、配線関連の改造工事程度で使用されることが多い。したがって、市場に多く普及されている既設照明器具の本体部分と直管形ＬＥＤランプの導通をとる方法が必要とされている。
【０００６】
従来では、直管形ＬＥＤランプの放熱部材に直接接触して接地するアース接続部材を備えるソケットがあるが、今後、放熱部材が露出していない直管形ＬＥＤランプが普及する可能性が高いため、従来の直管形ＬＥＤランプの放熱部材に直接接触して接地する方法では接地ができないという課題がある。
【０００７】
本発明は、市場に広く普及されている蛍光灯器具のソケットと取付互換があり、直管形ＬＥＤランプと照明器具本体の接地導通をとることのできる直管形ＬＥＤランプ用ソケットを提供することを目的とする。
【課題を解決するための手段】
【０００８】
本発明に係るソケットは、光源の口金を接続するソケットであって、照明器具本体の本体縁部により形成されたソケット取付孔に取り付けられるソケットにおいて、
前記ソケット取付孔を形成する本体縁部が挿入されるスリット部を備え、前記口金が内部に挿入される外郭部と、
前記外郭部の内部に配置され、前記外郭部の内部に挿入された前記口金と接触して前記口金と導通するとともに、前記スリット部から前記外郭部の内部に挿入された前記本体縁部と接触して前記照明器具本体と導通する口金接地部とを備えることを特徴とする。
【発明の効果】
【０００９】
本発明に係るソケットは、光源の口金を接続するソケットであって、照明器具本体の本体縁部により形成されたソケット取付孔に取り付けられるソケットにおいて、前記ソケット取付孔を形成する本体縁部が挿入されるスリット部を備え、前記口金が内部に挿入される外郭部と、前記外郭部の内部に配置され、前記外郭部の内部に挿入された前記口金と接触して前記口金と導通するとともに、前記スリット部から前記外郭部の内部に挿入された前記本体縁部と接触して前記照明器具本体と導通する口金接地部とを備えるので、ソケットを器具本体に装着することにより、器具本体とソケットに装着される光源（直管形ＬＥＤランプ）との接地導通を得ることが可能となる。
【図面の簡単な説明】
【００１０】
【図１】本実施の形態に係るソケット１００の外観斜視図であり、（ａ）はソケット１００の前面部１２４側からの斜視図、（ｂ）はソケット１００の後面部１２５側からの斜視図である。
【図２】本実施の形態に係るソケット１００の分解斜視図である。
【図３】本実施の形態に係る照明器具５００の斜視図である。
【図４】本実施の形態に係る照明器具５００の器具本体２００に形成されたソケット取付孔２２０を示す斜視図である。
【図５】本実施の形態に係るソケット１００に取り付けられる直管形ＬＥＤランプ４００の接地口金４１０を示す図である。
【図６】本実施の形態に係る一対の接触片１６０を示す図であり、（ａ）は一対の接触片１６０の平面図であり、（ｂ）は一対の接触片１６０の斜視図である。
【図７】本実施の形態に係るソケット１００の通常状態の内部構造を示す図であり、（ａ）は断面平面図、（ｂ）は断面斜視図である。
【図８】本実施の形態に係るソケット１００の使用状態の内部構造を示す図であり、（ａ）は断面平面図、（ｂ）は断面斜視図である。
【発明を実施するための形態】
【００１１】
実施の形態１．
図１は、本実施の形態に係るソケット１００の外観斜視図であり、（ａ）はソケット１００の前面部１２４側からの斜視図、（ｂ）はソケット１００の後面部１２５側からの斜視図である。図２は、本実施の形態に係るソケット１００の分解斜視図である。図３は、本実施の形態に係る照明器具５００の斜視図である。図４は、本実施の形態に係る照明器具５００の器具本体２００に形成されたソケット取付孔２２０を示す斜視図である。図５は、本実施の形態に係るソケット１００に取り付けられる直管形ＬＥＤランプ４００の接地口金４１０を示す図である。
【００１２】
図１〜図５を用いて、ソケット１００の全体構成、ソケット１００を器具本体２００に取り付ける場合の構成、及びソケット１００に直管形ＬＥＤランプ４００を取り付ける場合の構成について説明する。
【００１３】
図１及び図２に示すように、ソケット１００は、絶縁体であるプラスチック製等で形成されたソケットベース１２０及びソケット蓋１３０、ソケットベース１２０の内部に取り付けられる銅あるいは銅合金性の接触片１６０（一対の接触片）を備える。ソケットベース１２０とソケット蓋１３０とを組み合わせたものをソケット筐体１７０（外郭部）とする。また、接触片１６０と記載した場合は、一対の接触片、あるいは一対の接触片の各接触片を意味するものとする。
【００１４】
ソケット筐体１７０（ソケットベース１２０とソケット蓋１３０）は、底面部１２１、側面部１２２、天面部１２３、前面部１２４、後面部１２５を備える。天面部１２３は、ドーム状の曲面をなしており、ソケット筐体１７０は、断面略かまぼこ状（ドーム状）の外郭である。接触片１６０（一対の接触片）の構造及び接触片１６０（一対の接触片）をソケットベース１２０の内部に取り付ける（配置する）詳細構成については後述する。
【００１５】
図３は、本実施の形態に係る照明器具５００の斜視図である。照明器具５００は、器具本体２００と、器具本体２００に取り付けられるソケット１００と、ソケット１００に取り付けられる直管形ＬＥＤランプ４００と、直管形ＬＥＤランプ４００から照射される光を反射する反射板３００とを備える。ソケット１００は、照明器具５００の器具本体２００（照明器具本体）に取り付けられて使用される。
【００１６】
図４に示すように、器具本体２００は、ソケット１００を取り付けるためのソケット取付孔２２０を備える。ソケット取付孔２２０は、コ状の切り欠き（溝）であり、両側にソケット取付縁部２１０（本体縁部）を備え、突き当たりにソケット取付止部２３０を備える。
【００１７】
照明器具５００の器具本体２００の部材は、塗装鋼板、またはめっき鋼板を使用した金属で構成されている。ソケット取付孔２２０を形成するソケット取付縁部２１０（本体縁部）、ソケット取付止部２３０の切欠切断部（縁部断面２１１）はプレス加工等で加工されており、破断面部は金属部が露出している状態である。本実施の形態では、ソケット取付縁部２１０の破断面部である縁部断面２１１を用いて接地をする。
【００１８】
図１及び図２に示すように、ソケット筐体１７０（ソケットベース１２０とソケット蓋１３０）は、器具本体２００への取り付けに使用される本体取付溝１５０を備える。本体取付溝１５０は、両側の側面部１２２の底面部１２１近傍に底面部１２１と略平行に形成されている。
【００１９】
図２に示すように、本体取付溝１５０は、取付溝開口１５１、取付溝側壁１５３、本体係止部１５４とを備える。本体取付溝１５０は、両側の側面部１２２の底面部１２１近傍に底面部１２１と略平行に形成され、後面部１２５を貫通する。取付溝１５２は、前面部１２４は貫通せずに突き当たりを有し、この突き当たりが本体係止部１５４となっている。
【００２０】
本体取付溝１５０の底部は、開口しており、ソケット筐体１７０の内部とつながっている。つまり、本体取付溝１５０は、ソケット筐体１７０の内部と貫通している。この開口を取付溝開口１５１とする。また、本体取付溝１５０の内壁面を取付溝側壁１５３とする。また、本体取付溝１５０の前面部側の突き当たりを本体係止部１５４とする。
【００２１】
ソケット１００は、後面部１２５（ソケット蓋１３０）をソケット取付孔２２０のソケット取付止部２３０に当接させて取り付けられる。ソケット１００は、後面部１２５（ソケット蓋１３０）を貫通する本体取付溝１５０の開口部分に器具本体２００のソケット取付縁部２１０を挿入し、後面部１２５が器具本体のソケット取付止部２３０に当接するまで、本体取付溝１５０にソケット取付縁部２１０をスライドさせる。言い換えれば、本体取付溝１５０内をスライドするソケット取付縁部２１０が、本体取付溝１５０の本体係止部１５４に当接するまで、本体取付溝１５０にソケット取付縁部２１０をスライドさせて、ソケット１００を器具本体２００に取り付ける。
【００２２】
図２に示すように、ソケット蓋１３０に形成された本体取付溝１５０の取付溝側壁１５３の幅をＬ１とする。また、ソケットベース１２０に形成された本体取付溝１５０の取付溝側壁１５３の幅をＬ２とする。図２に示すように、ソケット蓋１３０側の取付溝側壁１５３の幅よりもソケットベース１２０側の取付溝側壁１５３の幅の方を小さくする。つまり、Ｌ１＞Ｌ２の関係となるように本体取付溝１５０が形成される。
【００２３】
これは、次に説明する構成によって、ソケット筐体１７０の内部に挿入したソケット取付縁部２１０が、ソケット筐体１７０の内部に露出するようにするためである。まず、後面部１２５（ソケット蓋１３０）側から挿入されたソケット取付縁部２１０の幅はＬ１である。挿入された幅Ｌ１のソケット取付縁部２１０は、本体係止部１５４に当接するまで挿入される。ソケットベース１２０の取付溝側壁１５３の幅はＬ２であり、Ｌ１＞Ｌ２の関係であるため、ソケットベース１２０の本体取付溝１５０の部分では、（Ｌ１−Ｌ２）の幅のソケット取付縁部２１０が、取付溝開口１５１からソケット１００（ソケット筐体１７０）の内部に露出することになる。
【００２４】
ソケット筐体１７０の内部に挿入され露出するソケット取付縁部２１０は、ソケットベース１２０の本体取付溝１５０の部分だけであるので、ソケット蓋１３０に形成された本体取付溝１５０には、取付溝開口１５１は形成されていなくてもよい。
【００２５】
上述したように、ソケット１００は、照明器具５００の器具本体２００部分に設けられたソケット取付孔２２０に取り付けられる。図４に示すように、ソケット取付孔２２０（切欠き部）の切り欠き幅をＬ１０とし、図２に示すように、後面部１２５の両側の本体取付溝１５０の間の幅をＬ１１とすると、Ｌ１０とＬ１１とは、ほぼ同一、あるいはややＬ１０の方が大きくなるように形成されている。ソケット１００は、ソケット取付孔２２０（切欠き部）の両側のソケット取付縁部２１０に後面部１２５側の本体取付溝１５０を合わせてスライドさせる方法で取り付けられる。
【００２６】
その後、図３に示すように、照明器具５００の器具本体２００には反射板３００が取り付けられ、ソケット１００が脱落するのを防ぐ構造となっている。
【００２７】
図１（ａ）に示すように、ソケット１００のソケットベース１２０は、直管形ＬＥＤランプ４００（光源）の接地口金４１０が挿入される口金挿入孔１４０を備える。
【００２８】
本実施の形態に係るソケット１００は、直管形ＬＥＤランプ４００の接地口金４１０を取り付ける。直管形ＬＥＤランプ４００の一方の端部には、接地を取るための端子である接地口金４１０が付加されている。
【００２９】
図５に示すように、直管形ＬＥＤランプ４００の接地口金４１０は、円筒形の直管形ＬＥＤランプ４００の端部から突出する棒状の口金部分である口金部４１１と、口金部４１１の先端に形成された楕円状の口金係止用突起４１２とを備える。
【００３０】
ソケット１００の口金挿入孔１４０は、口金係止用突起４１２の形状と略同一（あるいはやや大きい）形状である。直管形ＬＥＤランプ４００をソケット１００に取り付けるには、口金係止用突起４１２を口金挿入孔１４０から挿入し、その後、回転させてソケット１００の内部の一対の接触片１６０と嵌め合わせることで取り付けられる。接地口金４１０をソケット１００に取り付ける詳細方法については後述する。
【００３１】
図６は、本実施の形態に係る一対の接触片１６０を示す図であり、（ａ）は一対の接触片１６０の平面図であり、（ｂ）は一対の接触片１６０の斜視図である。図７は、本実施の形態に係るソケット１００の通常状態の内部構造を示す図であり、（ａ）は断面平面図、（ｂ）は断面斜視図である。図８は、本実施の形態に係るソケット１００の使用状態の内部構造を示す図であり、（ａ）は断面平面図、（ｂ）は断面斜視図である。
【００３２】
図６〜図８に示すように、一対の接触片１６０は、銅あるいは銅合金等の金属片を成形した接触片１６０を、対向して配置したものである。
【００３３】
一対の接触片１６０の天面部１２３側（一対の接触片の一方の端部近傍）は、接触片１６０が間隔Ｌ３で略平行に配置されている口金挟持部分１６１である。図７（ａ）に示すように、間隔Ｌ３は、口金挿入孔１４０の短手方向の径Ｌ５と略同一かあるいはやや大きい。口金挟持部分１６１の口金挿入孔１４０に対向する位置には、接地口金４１０の口金係止用突起４１２を係止する口金接触部１６２を備える。
【００３４】
口金接触部１６２は、口金挟持部分１６１の口金挿入孔１４０に対向する位置の一対の接触片１６０のそれぞれが外側（側面部側）に膨らむように形成された構成部分である。図６（ａ）に示すように、口金接触部１６２の横径をＬ６とすると、Ｌ６＞Ｌ３の関係となる。
【００３５】
一対の接触片１６０は、角部Ａ１６８で側面部１２２方向に略直角に曲がっている。つまり、一対の接触片１６０の各接触片は、角部Ａ１６８で外側（各接触片１６０に近い方の側面部１２２側）に向かって略直角に折り曲がっている。そして、一対の接触片１６０の各接触片は、側面部１２２近傍の角部Ｂ１６９で底面部１２１方向に略直角に折り曲げられ、側面部１２２に沿って底面部１２１近傍まで形成される。この側面部１２２に沿って形成された部分を本体導通部分１６６とする。本体導通部分１６６の先端部近傍（他方の端部近傍）は本体取付溝１５０近傍に位置する。本体導通部分１６６の先端部近傍（他方の端部近傍）の本体取付溝１５０近傍に位置する部位は、本体取付溝１５０から内部に挿入される器具本体２００のソケット取付縁部２１０と接触して導通する本体接触部１６６ａを備える。
【００３６】
口金挟持部分１６１と本体導通部分１６６との間の略水平部分（底面部１２１と略平行な部分）を肩部１６５とする。肩部１６５は、口金接触部１６２と本体導通部分１６６とを物理的及び電気的に連結する連結部である。一対の接触片１６０のそれぞれは、銅あるいは銅合金等の金属片が一体形成されたものであり、略同一形状の接触片１６０を対向させて配置しているものである。
【００３７】
図７はソケット１００の通常時における部品単体での接触片１６０の状態を示し、図８はソケット１００を照明器具５００の器具本体２００に取付け、直管形ＬＥＤランプ４００を取り付けて使用している使用状態での接触片１６０の状態を示す。
【００３８】
ソケット１００は、組み立てが容易となるように構成されている。ソケットベース１２０は、肩部固定部１２６、端部固定部１２７を備える。肩部固定部１２６、端部固定部１２７は、接触片の一部を仮固定する掘りこみ部材である。
【００３９】
肩部固定部１２６は、一対の接触片１６０のそれぞれの肩部１６５を固定する。肩部固定部１２６は、ソケットベース１２０の略中央部に底面部１２１と略平行に形成され、一対の接触片１６０のそれぞれの肩部１６５を収納するスリット（隙間）が形成されている。
【００４０】
端部固定部１２７は、一対の接触片１６０の天面部１２３側の端部の各端部を固定する。端部固定部１２７は、ソケットベース１２０の口金挿入孔１４０の天面部１２３側に一対形成される。端部固定部１２７は、一対の接触片１６０の天面部側の端部の各端部を挿入するスリット（切り欠き）を備える。
【００４１】
図７（ｂ）に示すように、一対の接触片１６０をソケットベース１２０に仮固定する場合には、作業者は、Ａ方向に一対の接触片１６０をソケットベース１２０に押し込む。このとき、一対の接触片１６０のそれぞれの肩部１６５（図６）を肩部固定部１２６に押し込むとともに、一対の接触片１６０の天面部１２３側の端部の各端部を端部固定部１２７に押し込む。これにより、ソケット１００は、一対の接触片１６０がソケットベース１２０に仮固定される。一対の接触片１６０がソケットベース１２０に仮固定された後、ソケット蓋１３０をソケットベース１２０に取り付けることによりソケット１００は組み立てられる。
【００４２】
上述したように、一対の接触片１６０の本体取付溝１５０に対応する部位（底面部１２１側の端部の各端部近傍）は、本体接触部１６６ａである。図６に示すように、本体接触部１６６ａの後面部１２５側は、後面部１２５側に向かって徐々に内側にせまくなるテーパー状になっている。このテーパー状の構成部分をガイド部１６７とする。
【００４３】
図７（ａ）に示すように、通常時の一対の接触片１６０の本体導通部分１６６の間隔をＬ４とし、一対の接触片１６０の各接触片のガイド部１６７同士の間隔の一番狭い部分の間隔をＬ８とする。つまり、両側のガイド部１６７の後面部１２５側の先端の間隔をＬ８とする。このとき、Ｌ８＜Ｌ４の関係である。
【００４４】
ガイド部１６７は、器具本体２００のソケット取付縁部２１０が本体取付溝１５０に挿入される際に、ソケット取付縁部２１０の金属断面（縁部断面２１１、図８（ｂ）参照）が、確実に本体接触部１６６ａと接触するようにガイドする構成部である。
【００４５】
次に、図８を用いて、本実施の形態に係るソケット１００の使用時の状態の構成について説明する。まず、ソケット１００を器具本体２００に取り付けた状態の構成について説明する。
【００４６】
図８（ａ），（ｂ）では、器具本体２００のソケット取付孔２２０を形成するソケット取付縁部２１０が、本体取付溝１５０に挿入されている。ソケット取付縁部２１０の断面である縁部断面２１１（図８（ｂ）参照）は、金属が露出している部分である。この縁部断面２１１が接触片１６０の本体接触部１６６ａと接触（当接）することにより、縁部断面２１１と接触片１６０の本体接触部１６６ａとが物理的及び電気的に接続される。
【００４７】
一対の接触片１６０の本体接触部１６６ａの間隔は、通常時はソケットベース１２０の側面部１２２（内壁）に接触する状態まで開いている。一対の接触片１６０の通常時の開き幅はＬ９（図７（ａ）参照）である。このときの開き幅Ｌ９は、照明器具５００のソケット取付孔２２０の切欠き幅Ｌ１０（図８参照）より広く形成されている（Ｌ９＞Ｌ１０）。
【００４８】
図８（ａ）に示すように、ソケット１００が器具本体２００のソケット取付孔２２０に取り付けられると、Ｌ９＞Ｌ１０であるため、一対の接触片１６０の本体接触部１６６ａは、内側に押し縮められる。したがって、本体接触部１６６ａは、外側に開こうとする力である押力Ｐ１がかかる。この押力Ｐ１により、本体接触部１６６ａと縁部断面２１１とが確実に接触する。
【００４９】
また、通常時のガイド部１６７の後面部１２５側の端部の開き幅をＬ８とする（図７（ａ）参照）。一対の接触片１６０は、通常時のガイド部１６７の後面部１２５側の端部の間隔Ｌ８はソケット取付孔の幅Ｌ１０よりも小さい（Ｌ８＜Ｌ１０）。そして、ガイド部１６７の開き幅は、後面部１２５側の端部から前面部１２４側の本体接触部１６６ａに向かって、徐々にＬ８からＬ９になるように広がるように形成されている。
【００５０】
ソケット１００が器具本体２００のソケット取付孔２２０に取り付けられる際、器具本体２００のソケット取付縁部２１０はＡ方向に本体取付溝１５０に挿入される。このとき、Ｌ８＜Ｌ１０であるため、ソケット取付縁部２１０が一対の接触片１６０の本体接触部１６６ａの後面部１２５側の先端部に引っかかることはない。また、ソケット取付縁部２１０は、本体取付溝１５０に挿入されるとガイド部１６７にガイドされ、確実に本体接触部１６６ａに接触しながら係止される。
【００５１】
以上のように、ソケット１００が照明器具５００に取り付けられる過程において内部接触片（接触片１６０）のテーパー部（ガイド部１６７）により、本体導通部分１６６は内側に押し込まれる状態となる。このとき、内部接触片（接触片１６０）の金属がもつバネ性により常に外側への力（Ｐ１）がかかり続けることにより安定的に内部接触片（接触片１６０）と照明器具５００（器具本体２００）との間に導通が確保できる。
【００５２】
次に、ソケット１００に直管形ＬＥＤランプ４００を取り付けた状態の構成について説明する。
【００５３】
直管形ＬＥＤランプ４００を、ソケット１００に取り付ける場合には、まず、直管形ＬＥＤランプ４００の接地口金４１０の口金係止用突起４１２を、口金挿入孔１４０の形状にあわせて（縦長の状態）挿入する。口金挿入孔１４０の形状は接地口金４１０（口金係止用突起４１２）の形状と合う長円形状となっており、方向が合う状態でないと差し込むことができない。
【００５４】
口金係止用突起４１２が口金挿入孔１４０を通過し、口金挿入孔１４０には口金部４１１が位置する状態で、直管形ＬＥＤランプ４００をＰ２方向あるいはＰ３方向に略９０度回転させる。図８に示すように、天面部１２３側が光の照射方向となるように直管形ＬＥＤランプ４００をソケット１００に取り付ける。
【００５５】
直管形ＬＥＤランプ４００を略９０度回転させると、接地口金４１０の口金係止用突起４１２は、図８（ａ）に示すように口金接触部１６２の間で横長の状態となり、口金接触部１６２と嵌合して係止される。このとき、接触片１６０はソケットベース１２０の備える掘りこみ部材である肩部固定部１２６、端部固定部１２７にしっかりと固定されている。
【００５６】
接触片１６０の口金接触部１６２は、口金係止用突起４１２との接触性を高めるために、半円状のくぼみ部を備える。口金接触部１６２の通常時の開き幅Ｌ６（図７（ａ）参照）は、口金係止用突起４１２の横幅Ｌ７よりもやや小さいのが好ましい。口金接触部１６２の通常時の開き幅Ｌ６が口金係止用突起４１２の横幅Ｌ７（図８（ａ））よりもやや小さいことにより、口金係止用突起４１２が口金接触部１６２係止されている状態では、接触片１６０のバネ性により内側方向（Ｐ４方向）の押力が発生する。この押力Ｐ４により、口金接触部１６２と口金係止用突起４１２とが確実に接触し、電気的及び物理的な接続が確保される。
【００５７】
差し込まれた接地口金１１は、直管形ＬＥＤランプ１０を９０度回転させることにより、くぼみ部１２に接触し導通が確保できる。
【００５８】
以上のように、本実施の形態のソケット１００によれば、既設の直管形蛍光灯用の照明器具を直管形ＬＥＤランプ４００にリニューアルすることができる。
【００５９】
また、新規に設置する直管形ＬＥＤランプ４００用の照明器具の場合に、接地口金４１０側のソケット１００に本実施の形態に係るソケット１００を用いることができる。これにより、ソケット１００を器具本体２００に直接取り付けて接地口金４１０を接地することができるので、接地用で使用する片側のランプソケットの配線をなくすことができるという効果がある。
【００６０】
また、本実施の形態のソケット１００によれば、器具本体２００への取付時に確実に導通がとれるように、器具本体２００と接触する一対の接触片１６０はソケットベース１２０の側面部１２２に押し当てられるように外側への力がかかっている。接触片１６０に側面部１２２側（外側）への押力がかかっている状態において、ソケット１００をソケット取付孔２２０へ容易に取り付けられるように、接触片１６０にテーパー状の加工を有する。これにより、ソケット取付時にソケット１００内部の接触片１６０の後面部１２５側の先端部がソケット取付孔２２０のソケット取付縁部２１０に引っかかることなく、容易にソケット１００を器具本体２００に取り付けることができる。
【符号の説明】
【００６１】
１００  ソケット、１２０  ソケットベース、１２１  底面部、１２２  側面部、１２３  天面部、１２４  前面部、１２５  後面部、１２６  肩部固定部、１２７  端部固定部、１３０  ソケット蓋、１４０  口金挿入孔、１５０  本体取付溝、１５２  取付溝、１５１  取付溝開口、１５３  取付溝側壁、１５４  本体係止部、１６０  接触片、１６１  口金挟持部分、１６２  口金接触部、１６４  上端部、１６５  肩部、１６６  本体導通部分、１６６ａ  本体接触部、１６７  ガイド部、１６８  角部Ａ、１６９  角部Ｂ、１７０  ソケット筐体、２００  器具本体、２１０  ソケット取付縁部、２１１  縁部断面、２２０  ソケット取付孔、２３０  ソケット取付止部、３００  反射板、４００  直管形ＬＥＤランプ、４１０  接地口金、４１１  口金部、４１２  口金係止用突起、５００  照明器具。
【図１】
2012164496.tif 000003
【図２】
2012164496.tif 000004
【図３】
2012164496.tif 000005
【図４】
2012164496.tif 000006
【図５】
2012164496.tif 000007
【図６】
2012164496.tif 000008
【図７】
2012164496.tif 000009
【図８】
2012164496.tif 000010